Podtech/llm-jp-corpus-v4-ja_patent huggingface dataset:
(57)【要約】【課題】木造建築の際、壁内部の耐震補強目的で使われている従来の筋違い施工の、耐震性、作業性、経済性、耐久性をより向上させるために、方杖状の斜め梁を提供する。【解決手段】補強増進のために、壁の柱と土台、柱と横架材に加工した凹の切り込みに入れる凸の部分（１）をつくり、柱と土台、柱と横架材、それぞれに強く連結するよう、ボルトを打ち易くする切り込み（２）を入れ、さらなる補強材を容易に入れられるように、あごと呼ばれる先端部分をカット（３）した、壁内部の四隅に施工する、斜め梁を特徴とする。【選択図】図１
2014070487.tif 000002
【特許請求の範囲】
【請求項１】
木造建築の際、耐震強度を飛躍的に高める目的で、壁内部の四隅に設置すべく、柱と土台、柱と横架材それぞれに凹みをつくり、その凹みにはまる凸形（１）を両端に加工し、柱と土台、柱と横架材との連結を完全かつ容易にできるように、切り込み（２）を入れ、加重のずれに対して、さらなる補強材を容易に入れられるように先端部分をカット（３）した、以上の特徴を持つ強度増進補強用の斜め梁。
【発明の詳細な説明】
【技術分野】
【０００１】この発明は、木造建築の際、主として壁の内部を耐震用に補強するための斜め梁に関するものである。
【背景技術】
【０００２】従来、木造建築での壁内部の補強には、筋違いを対角に渡すのが主流で、床に使われている斜め梁が、積極的に壁の補強用に使われることはなかった。
【発明の概要】
【発明が解決しようとする課題】
【０００３】従来の、筋違い仕様の耐震壁には、次のような欠点があった。
従来では、柱間の制約が生じ、間柱と筋違いがあたる所に欠損部分が生じるため、加工・施工に難があった。また、垂直加重に対して弱く、柱間によっては、大きな材成が必要であった。また、それらの補強に合板を使うため、壁内部の湿度調整が劣り、合板の接着剤等の劣化が危惧されていた。また、筋違い施工での専用の金属、ビスの使用は、施工に時間がかかっていた。本発明は、以上のような欠点をなくすためになされたものである。
【課題を解決するための手段】
【０００４】壁内部の四隅に、柱と土台と、柱と横架材に対し、方杖状になるように、４５°の角度で斜め梁を設ける。この梁は、連結するボルトを打ち易くするために、切り口（２）を入れたり、梁の両先端の三角状の、あごと呼ばれる部分をカット（３）し、新たな補強材を入れ易く加工した。
本発明は、以上の構成よりなる補強用の斜め梁である。
【発明の効果】
【０００５】壁の四隅に４５°の角度で斜め梁を入れると、上からの加重が均等に分散され、従来の筋違い式に比べ、垂直加重に対する強度が増す。それと同時に、壁を支える床や天井部分に斜め梁を使用すると相乗効果で大きな耐震強度が得られ、木造耐震構造の革新となる。
また、斜め梁を入れる方式にすることで、建築上の作業性と効率が大きく向上し、時間短縮が達成される。また、補強のため、外壁下地に合板を使用する必要がないので、一般の木材を使用でき、合板の耐久性への不安も一掃できる。そのことは、建設省の１００年住宅構想に合致した建築をつくることが可能となる。そして、従来の方式に比べ、木材が小さくて済むようになるために、大径木の背板や小径木の単材の有効利用ができるようになり、小さな加工場で十分、生産できる。間伐材などの活用で、山間地の活性化や振興に寄与できるようになる。
【図面の簡単な説明】
【０００６】
【図１】本発明の斜視図である。
【図２】本発明の断面図である。
【発明を実施するための形態】
【０００７】以下、本発明を実施するための形態について説明する。
斜め梁の両先端は、ずれを防ぐ目的で、壁を構成する、柱と土台、柱と横架材に凹形の切り込みを入れて、その内部に梁の一部が入り込む凸形（１）にし、柱と土台、柱と横架材それぞれに対し平行の切り込み（２）をつくり、斜め梁を固定するためのボルトを打ち易くし、斜め梁の両先端の三角状の、あごと呼ばれる部分を、柱と土台、柱と横架材に対し、垂直にカット（３）し、加重からのずれを防ぎ、強度をより上げるため、さらなる補強材を加えられるようにした。
本発明は以上のような構造である。
この斜め梁を壁下地の四隅に組み入れるように使用して、最小限の木材量で最大限の耐震強度を増せるようにする。
【符号の説明】
【０００８】１  柱に入り込む凸形の部分
２  ボルトを打つための切り込み
３  先端の三角状の、あごと呼ばれるところをカットした部分
【図１】
2014070487.tif 000003
【図２】
2014070487.tif 000004
(57)【要約】【課題】優先席を必要としている人に、直接、声をかけなくても、あるいは、優先席を必要としている人が自分の席から離れていても、席を必要としている人との間で円滑なコミュニケーションを図ることができるので、優先席を必要としている人に席を譲りやすくする車両用座席を提供する。【解決手段】優先席以外の車両用普通座席において、普通座席１の近傍に、席を譲る意思があることを示す表示手段としてのランプ４が設置され、普通座席１には、ランプ４を点灯する作動手段としての押しボタン５が取りけられている。【選択図】図１
2014151733.tif 000002
【特許請求の範囲】
【請求項１】
優先席以外の車両用普通座席において、普通座席の近傍に、席を譲る意思があることを示す表示手段が設置され、前記普通座席には、前記表示手段を作動させる作動手段が取りけられていることを特徴とする車両用座席。
【請求項２】
前記表示手段は、前記普通座席の上方部に設置されたランプからなっていることを特徴とする、請求項１に記載の車両用座席。
【請求項３】
前記作動手段は、押しボタンからなっていることを特徴とする、請求項１または２に記載の車両用座席。
【請求項４】
前記表示手段は、前記作動手段を作動させた人が席を立つと自動的にリセットされることを特徴とする、請求項１から３の何れか１つに記載の車両用座席。
【発明の詳細な説明】
【技術分野】
【０００１】
この発明は、車両用座席、特に、優先席以外の普通座席であって、席を譲る意思があることを明確に示す手段を設けた車両用座席に関するものである。
【背景技術】
【０００２】
従来、例えば、鉄道車両においては、身体障害者、妊婦、乳幼児連れ、高齢者などの着席を優先させる優先席が設けられている。
【０００３】
優先席には、その座席が優先席であることを示すステッカーなどが、例えば、窓ガラスに張られているので、優先席に座っている人は、席を譲る意思があることを自ら示さなくても、優先席を必要としている人との間で円滑なコミュニケーションを図ることができる。
【発明の概要】
【発明が解決しようとする課題】
【０００４】
上述したように、優先席では、優先席に座っている人と優先席を必要としている人との間で円滑なコミュニケーションを図ることができるので、特に、問題はないが、優先席以外の普通座席においては、席を譲る意思があることを明確に示す手段がないので、席を譲る意思があっても優先席を必要としている人との間で円滑なコミュニケーションを図ることができなかった。このために、優先席を必要としている人は、席を譲ってほしい意思を普通座席に座っている人に自ら伝えるか、普通座席に座っている人が声をかけてくれるのを待つしかなかった。
【０００５】
また、普通座席に座っている人が席を譲る意思があっても、人目を気にしたり、優先席を必要としている人が自分の席から離れていたりする場合には、声をかけにくく、結果として、優先席を必要としている人に席を譲り損ねる場合があった。
【０００６】
従って、この発明の目的は、優先席以外の普通座席に、席を譲る意思があることを明確に示す手段を設けることによって、優先席を必要としている人に、直接、声をかけなくても、あるいは、優先席を必要としている人が自分の席から離れていても、席を必要としている人との間で円滑なコミュニケーションを図ることができ、この結果、優先席を必要としている人に席を譲りやすくする車両用座席を提供することにある。
【課題を解決するための手段】
【０００７】
この発明は、上記目的を達成するためになされたものであって、下記を特徴とする。
【０００８】
請求項１に記載の発明は、優先席以外の車両用普通座席において、普通座席の近傍に、席を譲る意思があることを示す表示手段が設置され、前記普通座席には、前記表示手段を作動させる作動手段が取りけられていることに特徴を有するものである。
【０００９】
請求項２に記載の発明は、請求項１に記載の発明において、前記表示手段は、前記普通座席の上方部に設置されたランプからなっていることに特徴を有するものである。
【００１０】
請求項３に記載の発明は、請求項１または２に記載の発明において、前記作動手段は、押しボタンからなっていることに特徴を有するものである。
【００１１】
請求項４に記載の発明は、請求項１から３の何れか１つに記載の発明において、前記表
示手段は、前記作動手段を作動させた人が席を立つと自動的にリセットされることに特徴を有するものである。
【発明の効果】
【００１２】
この発明によれば、優先席を必要としている人に、直接、声をかけなくても、あるいは、優先席を必要としている人が自分の席から離れていても、席を必要としている人との間で円滑なコミュニケーションを図ることができ、この結果、優先席を必要としている人に席を譲りやすくする車両用座席を提供することができる。
【図面の簡単な説明】
【００１３】
【図１】この発明の車両用座席に人が座っている状態を示す概略側面図である。
【図２】この発明の車両用座席に座っている人が押しボタンを押してランプを点灯させた状態を示す概略側面図である。
【図３】この発明の車両用座席に座っている人が席を立つことによってランプが消えた状態を示す概略側面図である。
【発明を実施するための形態】
【００１４】
この発明の車両用座席の一実施態様を、図面を参照しながら説明する。
【００１５】
図１は、この発明の車両用座席に人が座っている状態を示す概略側面図である。
【００１６】
図１において、１は、優先席以外の車両用普通座席であり、シートクッション２とシートバック３とからなっている。４は、普通座席１の上方部に設置された表示手段としてのランプであり、ランプ４の点灯により席を譲る意思があることを示す。表示手段としては、席を譲る意思があることを示せるものであれば、ランプ４に限定されない。表示手段の取り付け位置も、普通座席１の上方部に限定されない。ランプ４は、後述する押しボタン５を押した人が席を立つと自動的にリセットされ、消えるようになっている。
【００１７】
図１に示すように、普通座席１に座った人が席を譲る意思がある場合には、押しボタン５を押して、ランプ４を点灯させる。これによって、席を譲る意思があることを明確に示すことができるので、優先席を必要としている人に、直接、声をかけなくても、あるいは、優先席を必要としている人が自分の席から離れていても、席を必要としている人との間で円滑なコミュニケーションを図ることができる。この結果、優先席を必要としている人に席を譲りやすくなるので、優先席を必要としている人は、短時間で座ることができる。
【００１８】
なお、押しボタン５を押した人が席を立つとランプ４は、自動的にリセットされ消えて、次の人に備える。
【符号の説明】
【００１９】
１：普通座席
２：シートクッション
３：シートバック
４：ランプ
５：押しボタン
【図１】
2014151733.tif 000003
【図２】
2014151733.tif 000004
【図３】
2014151733.tif 000005
(57)【要約】      （修正有）【課題】レジ袋やビニール袋の開口部を開ける際、指が滑りうまく開けられない。この際指先を湿らせて摩擦力を高めるため濡れタオルで指を湿らせたりするが、濡れタオルの用意に手間とコストがかかり、また誰が触れたか分からない濡れタオルの不潔感が不快であった。また商品の入ったレジ袋を手に持ったとき、レジ袋の取っ手が手や指に食い込み痛くなる。レジ袋などの開口部を開く作業と、運搬作業が両方楽に出来る袋明け具付き袋吊り下げ具を提供する。【解決手段】袋吊り下げ具１の両側面にそれぞれ、間隔を置いて向かい合うヒレ２を設け、袋吊り下げ具の上面中央長手方向に切れ目３を設けた。【選択図】図１
2014151968.tif 000002
【特許請求の範囲】
【請求項１】
袋吊り下げ具の両側面にそれぞれ、間隔を置いて向かい合うヒレを設けた袋明け具付き袋吊り下げ具。
【請求項２】
表裏両面の摩擦力が高く、柔軟性のあるヒレを設けた請求項１の袋明け具付き袋吊り下げ具。
【請求項３】
ヒレの表裏両面に滑り止めを設けた請求項１の袋明け具付き袋吊り下げ具。
【発明の詳細な説明】
【技術分野】
【０００１】  本発明は、レジ袋やビニール袋などの開口部を簡単に開けることができ、レジ袋を持った際手が痛くならない、袋明け具付き袋吊り下げ具に関するものである。
【背景技術】
【０００２】  従来、スーパーなどで商品をレジ袋やビニール袋に入れる際、指が滑り密着した開口部がうまく開けられないため、店に用意された濡れタオルなどで指先を湿らせて袋の開口部を開け広げていた。なお密着した袋の開口部を開ける袋の開口具が知られている（特許文献１参照）。また商品を入れた重いレジ袋を素手で持ち、吊り下げて運搬していた。なおこの際、手が痛くならないレジ袋用持ち手が知られている（特許文献２参照）。
【先行技術文献】
【特許文献】
【０００３】
【特許文献１】  特開２００６−７６５９３号公報
【特許文献２】  特開２００９−２２０８８０号公報
【発明の概要】
【発明が解決しようとする課題】
【０００４】  そのために、次のような問題点が有った。
スーパーなどで商品をレジ袋やビニール袋に入れる際、袋の開口部を指でずらし開けようとするが、指が滑り密着した開口部がうまく開けられない。また家庭でも薄手のビニール袋などを開けるときも同様である。この際指先を湿らせて摩擦力を高めるため、濡れタオルで指を湿らせたりするが、濡れタオルの用意に手間とコストがかかる。また誰が触れたか分からない濡れタオルの不潔感が不快であった。また商品の入った重いレジ袋を手に持ったとき、レジ袋の取っ手が手や指に食い込み痛くなる。
本発明は、以上の問題点を解決するためになされたものである。
【課題を解決するための手段】
【０００５】  袋吊り下げ具（１）の両側面にそれぞれ、表裏両面に滑り止め（９）を設け間隔を置いて向かい合うヒレ（２）を設け、袋吊り下げ具（１）の上面中央長手方向に切れ目（３）を設ける。
以上の構成よりなる袋明け具付き袋吊り下げ具。
【発明の効果】
【０００６】本発明を使用することによって、レジ袋やビニール袋の密着して開けづらい開口部を、容易にずらし開けることが出来る。そのため指を濡らす濡れタオルを用意するコストがかからず、他者が触れた濡れタオルに触れる不快感を解消できる。また重いレジ袋を手に持ったときレジ袋の取っ手が手や指に食い込み痛くなるのを防ぐことが出来る。袋明け具と袋吊り下げ具を一体化することで、レジ袋を開ける作業と運搬の二つの作業がひとつの道具で両方楽に出来る。
【図面の簡単な説明】
【０００７】
【図１】本発明の斜視図
【図２】本発明の他の実施例を示す斜視図
【図３】本発明の使用状態を示す斜視図
【図４】本発明の使用状態を示す斜視図
【図５】本発明の使用状態を示す斜視図
【発明を実施するための形態】
【０００８】  以下、本発明の実施の形態を説明する。
図１や図２に示すように、袋吊り下げ具（１）の両側面にそれぞれ、間隔を置いて向かい合う摩擦力の強い軟質素材、または表裏両面に滑り止め（９）を設けたヒレ（２）を設け、袋吊り下げ具（１）の上面中央長手方向に切れ目（３）を設ける。
本発明は以上のような構造である。
本発明を使用する時は、図３や図４に示すように２枚のヒレ（２）を外側から指で挟み、２枚のヒレ（２）の間にレジ袋（４）の突起部（５）やビニール袋（７）の開口部（８）を差し入れ、両側から挟み押さえて２枚のヒレ（２）を指でそれぞれ別の方向にずらす。ヒレ（２）はそれぞれ表裏両面ともシリコンやゴムなどの素材による摩擦力が強いため、または滑り止め（９）により摩擦力が強いため、指に対しても、レジ袋（４）やビニール袋（７）に対しても滑ることなく密着し、指の動きを確実にレジ袋（４）やビニール袋（７）に伝える。これにより密着していたレジ袋（４）の突起部（５）やビニール袋（７）の開口部（８）がずれ、容易にレジ袋（４）の突起部（５）やビニール袋（７）の開口部（８）を開けることが出来る。また図５に示すように物が入って重くなったレジ袋（４）の取っ手（６）を袋吊り下げ具（１）の切れ目（３）に差し込み、袋吊り下げ具（１）で包みこむように持てば、レジ袋（４）の取っ手（６）が指や手の平に直接食い込むことが無く、指や手の平が痛くなるのを防ぎ運搬が楽にできる。また袋吊り下げ具（１）とヒレ（２）が一体となったことで、袋を開ける作業とレジ袋の運搬が本発明一つを持っていれば両方楽に行うことが出来る。
【符号の説明】
【０００９】１  袋吊り下げ具
２  ヒレ
３  切れ目
４  レジ袋
５  突起部
６  取っ手
７  ビニール袋
８  開口部
９  滑り止め
【図１】
2014151968.tif 000003
【図２】
2014151968.tif 000004
【図３】
2014151968.tif 000005
【図４】
2014151968.tif 000006
【図５】
2014151968.tif 000007
(57)【要約】【課題】カップメン（１）に熱湯（ＨＷ）を注ぎ持ち運ぶ時に、蓋（２）の隙間から熱湯（ＨＷ）が噴き出て火傷を負う怪我の防止の為に、先端開封握り（３）の裏側に両面テープ（Ｔ）を取付た、カップメン（１）を提供する。【解決手段】カップメン（１）の先端開封握り（３）の裏側に両面テープ（Ｔ）を設けた、両面テープ（Ｔ）付カップメン（１）を特徴とする。【選択図】図５
2014151967.tif 000002
【特許請求の範囲】
【請求項１】
インスタント食品のカップメン（１）及び、蓋（２）の先端開封握り（３）の裏側に両面テープ（Ｔ）を設けたカップメン。
【発明の詳細な説明】
【技術分野】
【０００１】この発明は、蓋（２）の先端に両面テープを設けた、カップメンに関するものである。
【背景技術】
【０００２】従来、カップメン（１）は一度開封して熱湯（ＨＷ）注ぐと、再度接着する事が、非常にむずかしかた。
【発明の開示】
【発明が解決しようとする課題】
【０００３】これは、次のような欠点があった。
従来、作業員が昼食時、コンビエン  ストアーで購入後、熱湯（ＨＷ）を注いで作業場に持ち帰る時に、蓋（２）の隙間から熱湯（ＨＷ）が噴き出て火傷を負う怪我などがあり、非常に困ることが多かた。
【課題を解決するための手段】
【０００４】カップメン（１）の先端開封握り（３）の裏側に両面テープ（Ｔ）貼り付ける、開封後熱湯（ＨＷ）を注ぎ、先端開封握り（３）の裏側に取付た両面テープ（Ｔ）の片面を剥がしてカップメン（１）に接着させ、初期粘着面（Ｓ）を再度粘着させる、これにて熱湯（ＨＷ）注入後は安心して持ち運ぶ事ができる。
本発明は以上の構成よりなる蓋（２）の先端開封にぎり（３）の裏側に両面テープ（Ｔ）を張り付けたカップメンである。
【発明の効果】
【０００５】コンビニにてカップメン（１）を購入後熱湯（ＨＷ）を注いでもらい蓋（２）の先端開封握り（３）の裏側に張り付けた両面テープ（Ｔ）をカップメン（１）側面に蜜着させて、初期粘着面（Ｓ）を再度粘着させる為に、熱湯（ＨＷ）が隙間から噴き出して火傷を負う怪我が少なくなり、安心して持ち運びが出来る。
【発明を実施するための最良の形態】
【０００６】カップメンの先端開封握り（３）の裏側に両面テープ（Ｔ）を貼り付ける、開封後熱湯（ＨＷ）を注ぎ、先端開封握り（３）の裏側に付けた両面テープ（Ｔ）の片側を剥がしてカップメン（１）側面に接着させ初期粘着面（Ｓ）に再度粘着させる。
これにて熱湯（ＨＷ）注入後は安心して持ち運ぶ事が出来る。
本発明は、以上の構成よりなる、先端開封握り（３）の裏側に両面テープ（Ｔ）を張り付けたカップメンである。
【図面の簡単な説明】
【０００７】
【図１】カップメン（１）をコンビエン  ストアーにて購入した図。（１）カップメン、（２）蓋  （３）先端開封握り
【図２】カップメン（１）を購入後開封して熱湯（ＨＷ）を注入時の図。（１）カップメン  （２）蓋  （３）先端開封握り  （Ｐ）ポット  （ＨＷ）熱湯
【図３】熱湯（ＨＷ）を注入して３分〜５分蒸らしながら運搬時に隙間から熱湯（ＨＷ）が噴き出ている図  （１）カツプメン  （２）蓋  （３）先端開封握り  （４）初期粘着面  （５）割箸  （ＨＷ）熱湯
【図４】カップメン（１）の蓋（２）を開封して先端開封握り（３）の裏側に両面テープ（Ｔ）を取付て、ポット（Ｐ）より熱湯（ＨＷ）を注ぐ図  （１）カップメン  （２）蓋  （３）先端開封握り  （Ｐ）ポット  （ＨＷ）熱湯  （Ｔ）両面テープ
【図５】カップメン（１）へポット（Ｐ）より熱湯（ＨＷ）を注いだ後先端開封握り（３）の裏側の両面テープをカップメン（１）の側面に蜜着させて、その後初期粘着面（Ｓ）に再度粘着させた図
【符号の説明】
【０００８】「図１」
１        カップ  メン
２        蓋
３        先端開封握り
Ｐ        ポット
ＨＷ      熱湯
「図２」
１        カップ  メン
２        蓋
３        先端開封握り
Ｐ        ポット
ＨＷ      熱湯
「図３」
１        カップ  メン
２        蓋
３        先端開封握り
４        接着個所
５        割箸
ＨＷ      熱湯
「図４」
１        カップ  メン
２        蓋
３        先端開封握り
Ｐ        ポット
ＨＷ      熱湯
Ｔ        両面テープ
「図５」
１        カップ  メン
２        蓋
３        先端開封握り
Ｓ        初期粘着面
Ｔ        両面テープ
【図１】
2014151967.tif 000003
【図２】
2014151967.tif 000004
【図３】
2014151967.tif 000005
【図４】
2014151967.tif 000006
【図５】
2014151967.tif 000007
(57)【要約】【課題】ネックレス等の金属アクセサリーの留め具は、女性の流行でもあるネイルアートの為に、爪を長くしマニキュアを塗ったり付け爪を付けたりなど、デコレーションした爪では留め具の留め外しがしずらく、可動ピンを引っ掛ける時に爪が傷ついたり割れたりなどの問題があった。  同じく、飲料缶等のプルトップは、リング部を引っ掛ける時に指先を痛めたり、爪が傷ついたり割れたり、長い爪では開封しずらいなどの問題があった。  本発明は、金属アクセサリーの留め具及び、飲料缶等のプルトップの引っ掛け具を提供する。【解決手段】円筒状の先端部に爪を設けて指型とし、底部の挿入口より人差し指を差込み、先端の穴より人差し指の爪を出す。  爪部の裏側にゴムなどの滑り止めを設け、本体の裏側の中央部分に磁石を設けたことを特徴とする金具の引っ掛け具。【選択図】図４
2014151966.tif 000002
【特許請求の範囲】
【請求項１】
円筒状の先端部に爪を設けて指型とし、底部の挿入口より人差し指を、差込み、先端の穴より人差し指の爪を出し、爪部の裏側に滑り止めを設け、本体の裏側の中央部分に磁石を設けた金具の引っ掛け具。
【発明の詳細な説明】
【技術分野】
【０００１】  本発明は、ネックレス等の金属アクセサリーの留め具及び、飲料缶等のプルトップの引っ掛け具に関するものである。
【背景技術】
【０００２】  従来、ネックレス等の金属アクセサリーの留め具は、係止リングの表面に可動ピンが設けられており、主に指先や爪先などで可動ピンを引っ掛けて、留めたり外したりしていた。
又、飲料缶等は、主に指先や爪先などでプルトップのリング部を引っ掛けて開封していた。
【発明の概要】
【発明が解決しようとする課題】
【０００４】  金属アクセサリーの留め具は、女性の流行でもあるネイルアートの為に、爪を長くしマニキュアを塗ったり付け爪をつけたりなど、デコレーションした爪では留め具の留め外しがしずらく、可動ピンを引っ掛ける時に爪が傷ついたり割れたりなどの問題があった。
同じく、飲料缶などのプルトップは、リング部を引っ掛ける時に指先を痛めたり、爪が傷ついたり割れたり、長い爪では開封しずらいなどの問題があった。
本発明は、以上の問題点を解決するためになされたものである。
【課題を解決するための手段】
【０００５】  円筒状の先端部に爪を設けて指型とし、底部の挿入口より人差し指を差し込み、先端の穴より人差し指の爪を出す。
爪部の裏側にゴムなどの滑り止めを設け、本体の裏側の中央部分に磁石を設ける。
以上の構成よりなる金具の引っ掛け具。
【発明の効果】
【０００６】  従来は、金属アクセサリーの留め具を留めたり外したりした時、長い爪や付け爪、マニキュアなどのデコレーションした爪では留め具の留め外しがしずらく、爪が傷ついたり割れたりなどの問題があった。
同じく、飲料缶などのプルトップの開封時に、指先を痛めたり、爪が傷ついたり割れたり開封しずらいなどの問題があったが、本発明により、指先、爪を保護することができ、アクセサリーの装着がしやすく、飲料缶などの開封が楽にできる。
本発明は、指型にすることにより簡単に装着ができ、自分の爪と同様の使用感であり、爪部の裏側にゴムなどの滑り止めを貼ることにより、爪先で引っ掛ける時の金具のずれを防ぐことができる。
本発明は、本体の裏側に磁石を埋め込み、冷蔵庫などに付け、身近に置いておけて便利である。
【図面の簡単な説明】
【０００７】
【図１】本発明の斜視図
【図２】本発明の裏面を示す斜視図
【図３】本発明の使用状態を示す正面図
【図４】本発明の使用状態を示す側面図
【図５】本発明の使用状態を示す斜視図
【発明を実施するための形態】
【０００８】  以下、本発明の実施の形態を説明する。
（イ）外観を人差し指の形状とする円筒状の本体（１）は内部を中空とし、本体の先端外側に硬質製の金属また樹脂を爪状に形成した爪部（２）を設ける。
（ロ）本体（１）の下方を挿入口（３）とし、本体（１）の先端に円筒の内部につながる穴（４）を設ける。
（ハ）爪部（２）の裏側は、ゴムなどの滑り止め（５）を設ける。
（ニ）本体（１）の裏側の中央部分に磁石（６）を設ける。
本発明は以上のような構造である。
本発明を使用するときは、本体（１）の挿入口（３）より人差し指を差込み、先端の穴（４）より人差し指の爪を出す。首飾りなどの係止リング（７）を外すときは、本体（１）の爪部（２）を係止リング（７）の可動ピン（８）に引っ掛けて可動ピン（８）を操作する。
又、飲料缶などのプルトップ（９）を開けるときは、本体（１）の爪部（２）をプルトップ（９）のリング部（１０）に引っ掛けて、リング部（１０）を引き上げ開封する。
【符号の説明】
【０００９】１  本体、２  爪部、３  挿入口、４  穴、５  滑り止め、６  磁石、７  係止リング、８  可動ピン、９  プルトップ、１０  リング部
【図１】
2014151966.tif 000003
【図２】
2014151966.tif 000004
【図３】
2014151966.tif 000005
【図４】
2014151966.tif 000006
【図５】
2014151966.tif 000007
(57)【要約】【課題】  夜道は暗い、特に雨の降る夜は、車からの視界も悪くなり、遠くからでも存在を認識してもらう必要がある。また、傘自体が行灯のように明るくなるので、多くの人に使ってもらうことで、街も村も明るくなる。犯罪も減るだろう。【解決手段】  傘の上ろくろ（１）に、電灯と電源を内蔵させておき、上ろくろ（１）の下に電極（２）を露出させておく。これに対し、傘の下ろくろ（５）には、ＯＮ・ＯＦＦスイッチ（３）を設け、下ろくろ（５）の上部に電極（４）を設け露出させておく。そして、傘を開くと同時に上ろくろ（１）の電極（２）と、下ろくろ（５）の電極」（４）が接触する事により電気が通電し、上ろくろ内の電灯が点灯する。この灯りが、傘全体に広がり傘本体が行灯のように光を灯す。【選択図】図１、図２
2014151168.tif 000002
【特許請求の範囲】
【請求項１】
傘の上ろくろに電灯になるように電球と電源（電池など）を配置し、上ろくろの下の、下ろくろと接する箇所に電極を配置する。これに対し、下ろくろに上部に導線を取り付け傘を開くと同時に、下ろくろの導線を介して上ろくろの電極に電気が流れ点灯するシステム（不要の時は、ＯＮ・ＯＦＦスイッチで切る）を設けた行灯傘。
【請求項２】
傘の上ろくろでも下ろくろでも電灯の設置位置をどちらでも可能とする請求項１記載の行灯傘。
【発明の詳細な説明】
【技術分野】
【０００１】  本発明は、雨傘に行灯機能を備えたものに関する。
【背景技術】
【０００２】  従来の雨傘にライトを付けたもの（例えば、特許文献１参照）。また、傘の手元にライトを設置したもの（例えば、特許文献２参照）。
【特許文献】
【０００３】
【特許文献１】特許公開  平１０−３３２２４
【特許文献２】特許公開  平１０−５７１２６
【発明の概要】
【発明が解決しようとする課題】
【０００４】  以上に述べた従来のライト付傘では、傘が開くと同時に点灯するというものではなく、また傘全体が行灯のように明るく光るというものでもない。【０００５】  本発明は、このような従来の構成が有していた課題を解決しようとするものであり、なおかつ、お洒落性にも重点を置いたものである。
【課題を解決するための手段】
【０００６】  本発明は、上記目的を達成するために上ろくろに電灯を設け、下ろくろに通電システムを配し、傘を開く事により電流が流れ点灯するシステムにするものである。さらにＯＮ・ＯＦＦスイッチを下ろくろに設けるものである。【０００７】  課題解決手段による作用は次の通りである。すなわち、電灯本体を傘の内側上部（上ろくろ）に設ける事により傘全体が行灯のように明るく点灯するようになり、さらに傘を開くと同時に電灯が灯るので、機能的に使いやすくスマートである。【０００８】  本発明は、以上の構成より成る、行灯傘である。
【発明の効果】
【０００９】  上述したように、本発明の行灯傘は、傘全体が行灯のように明るく点灯し、遠方からでも容易に人を確認する事ができる。【００１０】  また、傘を開くと同時に電灯が灯るので、機能的に手間が省け使用がスマートである。
【図面の簡単な説明】
【００１１】
【図１】  本発明の傘を半開きの状態で内側から見た斜視図
【図２】  傘を半開きにした状態で下ろくろを内側から見た斜視図
【図３】  本発明の使用図
【発明を実施するための形態】
【００１２】  以下、本発明の実地の形態を図１〜図２に基づいて説明する。
【００１３】  図１は、傘を半開き状態の内側から見た斜視図で、（１）は、上ろくろ。この（１）上ろくろ本体が電灯の役割を果たす。
【００１４】  （２）は、上ろくろから露出している電極で、傘を完全に開く事により、下ろくろの電極と接触して通電する。
【００１５】  図２から（３）は、下ろくろに設置したＯＮ・ＯＦＦ切り替えスイッチ。電灯が不要の昼間は電気をＯＦＦにしておく。
【００１６】  （４）下ろくろ側の電極。傘を全開にする事で、上ろくろの電極（２）と接触して通電する。
【００１７】  （５）は、下ろくろ（３）ＯＮ・ＯＦＦ切り替えスイッチを設け、（４）電極に配線する。
【００１８】  以下、上記構成の動作を説明する。
傘の上ろくろ（１）に電灯と電源を内蔵させておき、上ろくろ（１）の下に電極（２）を露出させておく。これに対し、傘の下ろくろ（５）には、ＯＮ・ＯＦＦスイッチ（３）を設け、下ろくろ（５）の上部に電極（４）を設け露出させる。そうする事により傘を開いた時に、上ろくろ（１）の電極（２）と、下ろくろ（５）の電極（４）とが接触し、通電する事により電灯が灯る仕組みである。
【００１９】  本発明は以上の構成より成る。
【符号の説明】
【００２０】（１）電灯電源内蔵上ろくろ  （２）上ろくろ電極  （３）下ろくろＯＮ・ＯＦＦスイッチ  （４）下ろくろ電極  （５）下ろくろ本体
【図１】
2014151168.tif 000003
【図２】
2014151168.tif 000004
【図３】
2014151168.tif 000005
(57)【要約】      （修正有）【課題】残りの量が少なくなった食品を器からすくい取るために、レンゲや器を傾ける等の操作をしなくても食品を残さずにすくい取ることが可能な、食品を残さずにすくえる、すくい易いレンゲを提供する。【解決手段】レンゲ３を使って器から食品をすくおうとする時に、器のあたる部分となる、レンゲ３のすくう部分１の前方側面の縁の一部に、平たくした部分２を設けることで、すくい取るときに器と接する部分が広くなるようにした。【選択図】図１
2014151166.tif 000002
【特許請求の範囲】
【請求項１】
レンゲ等（お玉、スプーンも含む）の食品をすくう部分（１）の前方側面の縁に一部平たくした部分（２）を設けた、すくい易いレンゲ等。
【発明の詳細な説明】
【技術分野】
【０００１】  この発明は、すくう部分の前方側面の縁を一部平たくし、食品をすくい易くしたレンゲに関するものである。
【背景技術】
【０００２】  従来、すくう部分の縁が丸くなっているため、すくう時に器とレンゲの縁が接する部分が狭すぎた。
【発明の開示】
【発明が解決しようとする課題】
【０００３】  これには、次のような欠点があった。
すくい取る食品が残り少なくなったとき、器を傾ける等の操作をしないと残さずにすくい取ることが困難であった。本発明は、以上のような欠点をなくすためになされたものである。
【課題を解決するための手段】
【０００４】  すくい取る時にレンゲの縁と器のあたる部分が広くなるように、すくう部分（１）の前方側面の縁を一部平たくした部分（２）を設ける。
本発明は、以上の構成よりなるすくい易いレンゲである。
【発明の効果】
【０００５】  すくう部分の前方側面の縁を一部平たくした構造（２）をしているため、残り少なくなった食品をすくい取るためにレンゲや器を傾ける等の操作をしなくても食品を残さずすくい取ることが可能である。
【発明を実施するための最良の形態】
【０００６】  以下、本発明を実施するための最良の形態について説明する。
すくう部分（１）の前方側面の縁に一部平たくなった部分（２）を設ける。食品をすくおうとする時、器にレンゲの縁が広くあたるため器を傾けたりしなくても食品を残さずにすくうことができる。
【図面の簡単な説明】
【０００７】
【図１】  本発明の斜視図である。
【符号の説明】
【０００８】  １  すくう部分
２  縁を平たくした部分
３  レンゲ
【図１】
2014151166.tif 000003
(57)【要約】【課題】銅とアルミニウムを接触させた時に生じる電位差を利用し、身体に刺激を与え、筋肉の疲労や凝りなどを改善させる両極テイ鍼を提供する。【解決手段】銅鍼（２）とアルミニウム鍼（４）を重ね合わせて接触させ、筒状に加工した革（５）で両者を包み込んだ構造である。【選択図】図２
2014151170.tif 000002
【特許請求の範囲】
【請求項１】
銅鍼（２）とアルミニウム鍼（４）を重ね合わせて接触させ、筒状に加工した革（５）で両者を包み込んだ両極テイ鍼。
【発明の詳細な説明】
【技術分野】
【０００１】この発明は、銅とアルミニウムを接触させた時に生じる電位差を利用して、身体に刺激を与え、筋肉の疲労や凝りなどを改善させるものである。
【背景技術】
【０００２】従来、銅鍼とアルミニウム鍼は、各々単体で使用し、両者を接触させて使用することがなかった。
【先行技術文献】
【０００３】
【特許文献１】
【非特許文献１】
【発明の概要】
【発明が解決しようとする課題】
【０００４】これは、次のような欠点があった。
（イ）従来の鍼は、各々単体での使用なので、金属特有の性質である電位差を利用することがなかった。また、使用時に直接皮膚に接触さなければならなかった。
本発明は、以上のような欠点をなくす為になされたものである。
【課題を解決する為の手段】
【０００５】銅鍼（２）と、アルミニウム鍼（４）を接触させて、筒状に加工した革（５）で両者を包み、２本の鍼をまとめて１本にしたものである。
本発明は、以上の構成よりなる両極テイ鍼である。
【発明の効果】
【０００６】銅鍼（２）とアルミニウム鍼（４）を接触させた時に生じる電位差を利用し、身体に刺激を与え、筋肉疲労や凝りなどを改善させる。その結果、衣服の上から身体への刺激が可能となった。
【図面の簡単な説明】
【０００７】
【図１】本発明の斜視図
【図２】本発明の断面図
【発明を実践する為の形態】
【０００８】以下、本発明を実践する為の形態について説明する。
銅鍼（２）とアルミニウム鍼（４）を重ね合わせて接触させ、筒状に加工した革（５）で両者を包み込んだ構造である。
これを使用するときは、筒状に加工した革（５）の部分を持ち、銅鍼（１）もしくはアルミニウム鍼（３）のどちらか一方を、身体の筋疲労部位や凝りに、直接または衣服の上から間接的に接触させて使用する。
【符号の説明】
【０００９】１  銅鍼の先端部
２  銅鍼の胴体部
３  アルミニウム鍼の先端部
４  アルミニウム鍼の胴体部
５  筒状に加工した革
【図１】
2014151170.tif 000003
【図２】
2014151170.tif 000004
(57)【要約】      （修正有）【課題】理容店で使用することのできる複数枚刃を持つユニットをＩ字型で１８０度回転させ、固定のできる最も小型化、スリム化したかみそりを提供する。【解決手段】柄部１に支点となるネジ穴６と、それと等距離２点にベアリング球５を挿入する凹部２箇所をもうけ、それを接着し、柄部凸部を２箇所設ける。かみそりユニット部２に支点となるネジ穴と、柄部凸部と相対するユニット部凹部を２箇所を作り、かみそりユニット部と柄部を支点となるネジ７で通し、圧バネ８を介してナット９で固定した１８０度回転し、固定が可能なかみそり。【選択図】図２
2014151165.tif 000002
【特許請求の範囲】
【請求項１】
片面に市販の複数枚刃のかみそりブレード部が装着でき、もう片面にユニバーサルな規格の二枚刃かみそりフォルダーに装着できるアダプター。
【発明の詳細な説明】
【技術分野】
【０００１】本発明は市販のＴ字型複数枚刃かみそりのユニット部を利用し、理容店で使用可能なユニット部をＩ字型に形成し、かつ１８０度回転させ、固定できる機構を持ったかみそりである。
【背景技術】
【０００２】従来の市販されている複数枚刃の替え刃式かみそりは、ほとんど全てＴ字型であり、理容店での使用がほとんど不可能であった。
【先行技術文献】
【特許文献】
【０００３】
【特許文献１】特開２００５−１９５号公報
【発明の概要】
【発明が解決しようとする課題】
【０００４】複数枚刃を持つＴ字型かみそりのユニット部を利用し、Ｉ字型で、スムーズに１８０度回転させ確実に固定できる発明である。
【課題を解決するための手段】
【０００５】柄部に支点となるネジ穴と、それと等距離２点にベアリング球を挿入する凹部をもうけ、ユニット部にも、それと相対する支点となるネジ穴および２点の凹部を作り、ベアリング球を２箇所に１つづつ挿入し、柄部とユニット部を圧縮バネを介して、ナットで結合する。
【発明の効果】
【０００６】スムーズな回転と固定が可能となり、小型化、スリム化が可能となった。
【図面の簡単な説明】
【０００７】
【図１】本発明の斜視図
【図２】本発明の組み立て図を示す斜視図
【図３】本発明の断面図１
【図４】本発明の断面図２
【図５】かみそりユニット部の組み立て図
【発明を実施するための形態】
【０００８】  以下、本発明の実施の形態を説明する。
（イ）柄部（１）に平坦面を有する切り欠き部を設け、そこに、貫通した柄部ネジ穴（６）及び、ベアリング球（５）の径の２／３程度の深さの柄部凹部（１０）を柄部ネジ穴（６）を中心として等距離に２箇所もうける。
（ロ）かみそりユニット部（２）は、かみそり部（１１）基台部（１２）ユニット部構造体（１３）からなり、その基台部背面に支点となるユニット部ネジ穴（４）を設け、支点となるネジ（７）を通して、そのネジを中心として、前記、ベアリング球（５）と係合しあう凹部２箇所を設ける。凹部は、ベアリング球（５）の径の１／３程度の深さとする。
（ハ）ベアリング球（５）を柄部凹部（１０）２箇所に挿入し接着する。ユニット部（２）側から支点となるネジ（７）を通して、圧バネ（８）を介してナット（９）で固定する。
（ニ）方向を１８０度回転させる場合、ナット（９）をやや緩めた状態にしておけば、支点となるネジ（７）を中心にスムーズにかみそりユニット部（２）を回転させることができ、柄部凹部（１０）２箇所に挿入されているベアリング球（５）２個と、かみそりユニット部凹部（３）２箇所が、支点となるネジ（７）に通してある圧バネ（８）により、圧着され固定することができる。
（ホ）柄部凹部（１０）に挿入し接着したベアリング球（５）の径の１／３程度の球面状の凸部は、同質素材で一体化して成型することも可能であるものとする。
【符号の説明】
【０００９】１  柄部、２  かみそりユニット部、３  ユニット部凹部、４  ユニット部ネジ穴
５  ベアリング球、６  柄部ネジ穴、７  支点となるネジ、８  圧バネ
９  ナット、１０  柄部凹部、１１  かみそり部、１２  基台部  １３ユニット部構造体
【図１】
2014151165.tif 000003
【図２】
2014151165.tif 000004
【図３】
2014151165.tif 000005
【図４】
2014151165.tif 000006
【図５】
2014151165.tif 000007
(57)【要約】【課題】  房が紙等製の使い捨てはたきを、房と柄の着脱を容易にし、房を使い捨てとして、消費者に提供する。【手段】  紙等を細片になるよう切れ目を入れるが、一部を切り残すことで細片を連続して取り扱える形状にする。  柄には一端に枠を設け、枠には突起をつけるか、もしくはわく自体がカドがある形にする。  その枠に前記の紙等を折りたたみまたは巻いたうえ挿入し、枠の突起または、カドの位置で紙等を枠を挟んで折り返し、紙等の枠側部分を細い針金様のもので縛り枠に固定する。その後、紙等の端部の切り残しを切断しはたきの房とする。【選択図】図１
2014151171.tif 000002
【特許請求の範囲】
【請求項１】
紙等を細片になるように切れ目を入れるが、切り残しを設け、細片を連続して取り扱えるようにし、かつ、柄に装着後、切れ目を入れず残した不要部分を容易に切断できる形状にした、使い捨てはたきの房部分。
【請求項２】
柄本体と枠からなり、枠に突起をつけたもの、または、枠自体がカドを形成するもので、前項のものの保持具、柄とする。前項のものと合わせ使い捨てはたきとする。
【発明の詳細な説明】
【技術分野】
【０００１】    本発明は、掃除道具に関するものである。
【背景技術】
【０００２】    従来より、紙等より作られた使い捨ての、乾拭き用雑巾がある。
【発明の概要】
【発明が解決しようとする課題】
【０００３】  使い捨て雑巾には、次のような問題点があった。
（イ）掃除の方法としてのはたき落としが難しい。
（ロ）凹凸のある機器等の拭き清めが面倒であった。
本発明はこれらの問題点を解決するためになされたものである。
【課題を解決するための手段】
【０００４】  紙等より房を作り、はたき状の掃除具を作るが、房と柄の着脱を消費者が容易に行えるようにし、両者を別々に提供する事を可能にし、房を使い捨てとする。
（イ）そのため、紙等は細片になるよう切れ目を入れるが、両端と中央部を切り残すことで細片を連続して取り扱える形状にする。
（ロ）柄には一端に枠を設け、枠には突起をつけるか、もしくは枠自体がカドがある形にする。
その枠に前記の紙等を折りたたみまたは巻いて挿入し、枠の突起または、カドの位置で紙等を枠を挟んで折り返し、紙等の両端を合わせ、紙等の枠側部分を細い針金様のもので縛り枠に固定する。その後、紙等の端部の切り残しを切断しはたきの房とする。
以上の構成からなる使い捨てはたき。
【発明の効果】
【０００５】  はたき落とす掃除法が容易になる。また、凹凸のある機器等の拭き清めが容易となる。
房と柄との着脱が容易である。
【図面の簡単な説明】
【０００６】
【図１】  （イ）房と（ロ）柄の平面図
【図２】  （イ）房部分の実施例の平面図
【図３】  （イ）房部分の実施例の平面図
【図４】  （ロ）柄の実施例の平面図
【図５】  （ロ）柄の実施例の平面図
【図６】  房部分の柄への挿入中の斜視図
【図７】  （イ）房と（ロ）柄の平面図
【発明を実施するための形態】
【０００７】  以下、本発明の実施の形態について説明する。
（イ）紙等（１）は細片になるように切れ目（２）をいれるが、両端と中央部を切り残すことで、細片を連続して取り扱える形状にする。
（ロ）柄（３）には一端に枠（４）を設け、枠（４）には突起（５）をつけるか、もしくは枠自体がカド（６）がある形にする。
その枠（４）に（イ）の紙等（１）を折りたたみ、または巻いて挿入し、枠（４）の突起（５）、またはカド（６）の位置で紙等（１）を枠（４）を挟んで折り返し、紙等の両端を合わせ、紙等（１）の枠側部分を細い針金様のもの（７）で縛り、枠（４）に固定する。その後、紙等（１）の端部の切り残しを切断しはたきの房（８）とする。
【符号の説明】
【０００８】１  （イ）紙等よりつくる房部分
２  （イ）房部分の切り目
３  （ロ）柄
４  （ロ）柄につけた枠
５  （ロ）柄につけた枠につけた突起
６  （ロ）柄につけた枠のカド
７  細い針金様のもの
８  房
【図１】
2014151171.tif 000003
【図２】
2014151171.tif 000004
【図３】
2014151171.tif 000005
【図４】
2014151171.tif 000006
【図５】
2014151171.tif 000007
【図６】
2014151171.tif 000008
【図７】
2014151171.tif 000009
(57)【要約】      （修正有）【課題】洋式水洗トイレの便座を開けるとき、便座に手を直接接触しないで衛生的に開けることができ、また、既存のトイレの便器に取付けることのできる便座開閉システムを提供する。【解決手段】洋式水洗トイレの便器Ｄの横の床に取り付けた開閉ペダルＨを足で踏む事でアクションワイヤーＪが下に引かれ、接点Ｆが下に下降し、バランスアームＭが上昇して便座Ａを持ち上げるようにした。【選択図】図１
2014151177.tif 000002
【特許請求の範囲】
１  足踏ペダル．又、電動式によって洋式水洗トイレの便座に手を直接掛けずに機械的に    便座を開けるシステム
２  トイパーは設置済みの洋式水洗トイレに後付け出来るシステム
【発明の詳細な説明】
本考案は、洋式水洗トイレに関係したシステムである。
【技術分野】設置済みの洋式水洗トイレに取付する便座開閉装置はまだ存在していない。
【背景技術】新製品で電動での便座開閉式装置はあるが設置済みに取付する便座開閉装置はまだ生産されていない。
【発明の開示】
【考案が解決しようとする問題】
洋式水洗トイレ便座の便座開閉時に直接便座の下側を手でさわるのは特にいやな思いである、その悩みは男性に多いと思われる、便座の下のさわる部分が一番汚れていて、見えにくい部分なのだ、  本考案は、汚れた場所を手で直接触れずに便座を開ける事で、手が汚れるのを防ぐ事、色々な感染症などの感染も軽減する事、又，水の節約もする事
簡単に取付し安価である事
【問題を解決する為の手段】
便器の横の床に取り付けたトイパーのペダルを足で踏む事でトイパーのリンクが作動し便座を機械的に持ち上げ開閉する様にした。
便座の開閉には、手動式と電動式を採用した。機械式開閉にした事によって汚れた部分に直接手が触れる必要がなく成り問題は解決した。
誰でも簡単に取付できる様にする為部品数を少なく設計した。
部品数、材料が少なく、量産出来る構造で安価である。
特許名      特許請求の範囲
特許名      トイパー
図１の図面を用えて説明する。
2014151177.tif 000003
▲Ｍ▼バランスアームを起動させ上に起あがる時に▲Ｌ▼のアクションローラーが回転して便座との摩擦を防ぎ便座を▲Ｃ▼水タンク側に容易開事が出来る。▲Ｂ▼のトイレ蓋も当時に開ける事が出来る。
便座開後は▲Ｈ▼ペダルから足を離せばトイパーは元ノ状態に戻り次の作動にスタンバイする。
▲Ａ▼便座は、開の状態の継続か閉に状態に戻る、設置後の便座の使用頻度で変わるがトイパーの作動には問題ない、又、トイパーのペダルを踏んでいる間は便座は戻らない。
便座の使用頻度によって勝手に便座が閉成る事が在る。
【産業上の利用可能性】  平素はトイレは人間が生きている間は無くてはならない必需ひんである。
衛生上の問題から最近は水洗トイレは当然の設備であって、特に洋式水洗トイレの普及はかなり進んでいる、昨今は店舗関係でも洋式水洗トイレのみが設置されているところが多い、そんな場合便座を素手で開けるのは男性にとってすごくいやな気分に成る、便座の下は大変汚れている所である。掃除する為に便座を素手で開けるのも気持ち悪い、其の為に本考案のトイパーを取り付して素手で触らず開閉出来れば気分は悪くない。
既存の便器に取付可能なので市場はかなりあると思われる。今まで無かったのが不思議なくらい、と思う
2014151177.tif 000004
2014151177.tif 000005
2014151177.tif 000006
2014151177.tif 000007
2014151177.tif 000008
2014151177.tif 000009
【手続補正書】
【提出日】平成25年8月5日(2013.8.5)
【手続補正１】
【補正対象書類名】明細書
【補正対象項目名】全文
【補正方法】変更
【補正の内容】
【発明の詳細な説明】
【技術分野】
【０００１】現在設置されている既存のトイレに取り付ける便座開閉システムは現在まだ存在していない。
【背景技術】
【０００２】新品の便器の蓋を開ける装置はあるが便座そのものを開ける装置はまだ開発されていない。
【図面の簡単な説明】
【０００３】
【図１】横断面図  Ｈ  ペダルを踏むとアクションワイヤーが下に引かれＧ支点で引く角度が調整される、Ｆ接点が下に降下すると、其のときＥの接点の効果でＭのバランスアームが上昇し便座を持ち上げ便座が開となる。Ｌアクションローラーは、開閉時の抵抗を少なくして作動を容易にしている。
【図２】Ｈペダルを踏み込んだ状態で便座が開いた状況である。
【図３】便座が完全に開いた状態
【図４】開閉ペダルの取り付け位置を前に移動した場合である。
【図５】動力を使用した時の配線図である。（電力）
【符号の説明】
【０００４】Ａ      便座
Ｂ      トイレ蓋
Ｃ      水タンク
Ｄ      便器
Ｅ      支点中間
Ｆ      接点
Ｇ      接点ローラー
Ｈ      開閉ペダル
Ｉ      トイパー本体金具
Ｊ      固定ボルト
Ｋ      バランスパッキン
Ｌ      アクションローラー  作動時に接点がズレ摩擦が起きるのを解消する。
Ｗ      便座開閉モーター
Ｘ      開閉モーターの操作線
【手続補正２】
【補正対象書類名】図面
【補正対象項目名】全図
【補正方法】変更
【補正の内容】
【図１】
2014151177.tif 000010
【図２】
2014151177.tif 000011
【図３】
2014151177.tif 000012
【図４】
2014151177.tif 000013
【図５】
2014151177.tif 000014
【手続補正３】
【補正対象書類名】特許請求の範囲
【補正対象項目名】全文
【補正方法】変更
【補正の内容】
【特許請求の範囲】
【請求項１】
既存に設置されている水洗トイレの便座を腕や指を使わず機械的に開くシステム
【請求項２】
既存に設置されいるトイレの便器に後付けで簡単に取付出来る便座開閉システム、キット
【請求項３】
既存に取付されている便器の型式や製造メーカー問わず取付可能な構造である事
【請求項４】
便座の開閉機能が、手動や、電動どちらでも稼動出来るシステム
(57)【要約】      （修正有）【課題】携帯電話機を使う時、使いやすいようにウェストベルトの右側に補助ベルトを設けた。ポケット付ウェストベルトを提供する。【解決手段】ウェストベルト１の右側に補助ベルト２を設け１と２の間にポケット３を設ける。【選択図】図３
2014151180.tif 000002
【特許請求の範囲】
【請求項１】
ウェストベルト（１）の右側に補助ベルトを新たに（２）を儲け、（１）と（２）の間に隙間を作りポケット（３）を設けたポケット付ウェストベルト
【発明の詳細な説明】
【０００１】この発明は携帯電話機を携帯する場合に、使用する  ポケット付ウェストベルトに関するものである。
【背景技術】
【０００２】従来携帯電話機を携帯すえる場合専用のウェストケースがあった。
従来ウェストベルトとケースは別々になっていたのである。
【先行技術文献】
【特許文献】
【０００３】
【発明の概要】
【発明が解決しようとする課題】
【０００４】これは次のような欠点があった。従来のウェストケースは、ウェストベルトに連結し、ベルトを利用して扱うウェストケースであった。
ウェストベルトに連結することによってケースが体から大きく外側にはみだすために外部との接触も多く困ることが多かった。
本発明は、以上のような欠点をなくす為になされたものである。
【課題を解決するため手段】
【０００５】ウェストベルト（１）の右側に長さ２６ｃｍの補助ベルトを新たに設ける（２）、（１）のベルトと（２）の補助ベルトの間に隙間をつくり、布生ボケット（３）を設ける。本発明は以上の構成よりなるポケット付ウェストベルトである。
【発明の効果】
【０００６】ポケットがウェストベルトと補助ベルトによって一体になっているので、体に密着し、体からも大きくはみだす事もない、外部との接触もすくない、邪魔にもならず、快適に使用もできる。ポケット付ウェストベルトをつかうのになんらさしつかえない。
【図面の簡単な説明】
【０００７】
【図１】
2014151180.tif 000003
【図２】
2014151180.tif 000004
【図３】
2014151180.tif 000005
【発明を実施するための形態】
【０００８】以下  本発明を実施するための形態について説明するウェストベルト（１）の右側の一部に補助ベルト（２）を設ける。ベルト（１）補助ベルト（２）の隙間に、ポケット（３）を設ける。本発明は、以上のような構造である。
これを使用するときは、ウェストベルトと一体になったポケットに携帯電話機を納めて使用すればよい。
【符号の説明】
【０００９】１  ウェストベルト
２  補助ベルト
３  ポケット
【図１】
2014151180.tif 000006
【図２】
2014151180.tif 000007
【図３】
2014151180.tif 000008
【手続補正書】
【提出日】平成25年4月22日(2013.4.22)
【手続補正１】
【補正対象書類名】明細書
【補正対象項目名】０００７
【補正方法】変更
【補正の内容】
【０００７】
【図１】  本発明の正面図である。
【図２】  本発明の側面図である。
【図３】  本発明の斜視図である。